(57)【特許請求の範囲】
【請求項１】
回転駆動される円筒状の回転体の外周面に配した複数の脱毛爪を回転体の回転に伴って駆動される開閉部材によって開閉させて脱毛を行う脱毛装置において、各脱毛爪を個別に開閉させる複数の開閉部材における隣接する開閉部材を径方向に重ねて配置していることを特徴とする脱毛装置。
【請求項２】
開閉部材は回転体の軸方向に延びるとともに一端を脱毛爪との当接部、他端を回転体の脇に配したカムとの当接部としているスライドレバーとして形成されていることを特徴とする請求項１記載の脱毛装置。
【請求項３】
複数本のスライドレバーは回転体の周方向に沿って配置されているとともに径方向にずれて配置されていることを特徴とする請求項２記載の脱毛装置。
【請求項４】
隣り合うスライドレバーは周方向の長さの約半分の長さを径方向において重ねていることを特徴とする請求項２または３記載の脱毛装置。
【請求項５】
隣り合うスライドレバーは周方向に対して交差して配置されていることを特徴とする請求項２〜４のいずれかの項に記載の脱毛装置。
【請求項６】
複数本のスライドレバー同士を一体に形成していることを特徴とする請求項２〜５のいずれかの項に記載の脱毛装置。
【請求項７】
隣合うスライドレバー同士を回転体の軸方向に弾性を持たせた薄肉のヒンジ片で一体に連結していることを特徴とする請求項６記載の脱毛装置。
【請求項８】
ヒンジ片は回転体に取り付けられていることを特徴とする請求項７記載の脱毛装置。
【請求項９】
複数本のスライドレバーの脱毛爪側の当接部は同一円周上に位置し、カム側の当接部は径方向において交互にずれていることを特徴とする請求項２〜８のいずれかの項に記載の脱毛装置。
【請求項１０】
複数の脱毛爪は回転体の周方向と軸方向の両方向にずれて配設されていることを特徴とする請求項１記載の脱毛装置。
【請求項１１】
脱毛爪は、揺動自在に支持された可動爪を備えるとともに、該可動爪は毛の挟持部と開閉部材による被駆動部との間に揺動支点を有していることを特徴とする請求項１または１０記載の脱毛装置。
【発明の詳細な説明】
【０００１】
【発明の属する技術分野】
本発明は美容などを目的として体毛を除去する際に用いる脱毛装置に関するものである。
【０００２】
【従来の技術】
この種の脱毛装置として、特許第２８２３３１６号公報やＷＯ９８／０５２３４号などに円筒状の回転体の外周面に配した脱毛爪を回転体の回転に伴って開閉させるようにしたものが示されている。
【０００３】
ここでの脱毛爪は、回転体の周方向において連続して均等に配置されており、回転体内に内装された開閉部材が回転体の軸方向に駆動されることで脱毛爪の開閉がなされるようになっているとともに、開閉部材の駆動は回転体を納めたハウジング側に設けているカムが回転体の回転に伴って開閉部材を押すことでなされるようにしてある。
【０００４】
【発明が解決しようとする課題】
ところで、上記のような構成の脱毛装置において脱毛効率を高めるにあたっては、回転体の周方向において複数の脱毛爪を設けるとともに、各脱毛爪における閉じて毛を挟持している期間を長くすればよいのであるが、脱毛爪の数を多くすれば、開閉部材の数も多くなり、そして周方向において配置する開閉部材の数が多くなれば、これら開閉部材の周方向における長さも短くしなくてはならず、結果的にカムが開閉部材を押して脱毛爪を閉じている期間が短くなってしまい、この結果、閉じた脱毛爪によって挟持固定された長い毛は、抜けてしまう前に脱毛爪が開いて解放されてしまって抜け残ったり毛切れが生じたりする。回転体の外径を大きくすれば、脱毛爪が閉じている期間を長くすることができるが、器具が大型化して使い勝手が悪くなる。
【０００５】
本発明はこのような点に鑑みなされたものであって、その目的とするところは周方向に複数の脱毛爪を配したものにおいても脱毛爪が閉じている期間を長くすることができて毛切れや抜き残しを少なくすることができる脱毛装置を提供するにある。
【０００６】
【課題を解決するための手段】
しかして本発明は、回転駆動される円筒状の回転体の外周面に配した複数の脱毛爪を回転体の回転に伴って駆動される開閉部材によって開閉させて脱毛を行う脱毛装置において、各脱毛爪を個別に開閉させる複数の開閉部材における隣接する開閉部材を径方向に重ねて配置していることに特徴を有している。各開閉部材の周方向の長さを長くして脱毛爪が閉じている期間を長くすることができるものである。
【０００７】
この場合、開閉部材は回転体の軸方向に延びるとともに一端を脱毛爪との当接部、他端を回転体の脇に配したカムとの当接部としているスライドレバーとして形成されたものを好適に用いることができ、さらに複数本のスライドレバーは回転体の周方向に沿って配置されているとともに径方向にずれて配置されているものを好適に用いることができる。
【０００８】
隣り合うスライドレバーは周方向の長さの約半分の長さが径方向において重なるものとすることもできる。
【０００９】
また、隣り合うスライドレバーが周方向に対して交差して配置されているものとするのがよい。
【００１０】
複数本のスライドレバー同士を一体に形成していてもよく、この場合、隣合うスライドレバー同士を回転体の軸方向に弾性を持たせた薄肉のヒンジ片で一体に連結したり、該ヒンジ片を回転体に取り付けていたりするとよい。
【００１１】
さらに、複数本のスライドレバーの脱毛爪側の当接部は同一円周上に位置し、カム側の当接部は径方向において交互にずらせておくとよい。
【００１２】
複数の脱毛爪は回転体の周方向と軸方向の両方向にずれて配設するのが好ましく、さらに、揺動自在に支持された可動爪を備えたものでは該可動爪は毛の挟持部と開閉部材による被駆動部との間に揺動支点を有しているものとするとよい。
【００１３】
【発明の実施の形態】
以下本発明を実施の形態の一例に基づいて詳述すると、この脱毛装置は、図２〜図６に示すように、２つ割りで形成されたハウジング１と、同じく２つ割りで形成されてハウジング１内に納められているフレーム２と、フレーム２によって軸回りの回転が自在となるように支持されているとともにフレーム２に装着したモータ３によって軸回りに回転駆動される円筒状の回転体４と、該回転体４の一部を露出させる窓５０が設けられているヘッドカバー５とからなるものとして形成されて上記回転体４の外周面に複数の脱毛爪７が配設されており、下端面に電源接続用のジャック部１１を備えているハウジング１の外側面にはスイッチ１０が配されている。
【００１４】
モータ固定板２０を介在させた状態で相互に連結固定される上記フレーム２には、モータ３の出力軸に取り付けたピニオン３０と噛み合うギア３１と、該ギア３１に噛み合うとともに回転体４のギア部４０と噛み合うギア３２とが夫々軸２１，２２によって取り付けられている。モータ３の回転で回転体４が軸回りに回転するものである。なお、上記ギア列にはすば歯車や高歯歯車を使用して噛み合い率を２以上とするとギアの駆動音を小さくすることができる。図中２３は２つ割のフレーム２を連結しているねじ、２４はハウジング１内面に形成されたボス１４が係合する係合穴である。
【００１５】
フレーム２で両端が保持される軸４９によって支持されている回転体４には、脱毛爪７，７の対が回転体７の周方向において等間隔に且つ回転体７の軸方向において少しずつずらされた状態で１０個配設されている。また、本例における脱毛爪７は、いずれも回転体４の外周面に一体に設けられた固定爪４５と、回転体４に取り付けた可動爪７０とで構成したものとなっている。
【００１６】
対をなしている脱毛爪７，７の可動爪７０，７０は、爪取付台７３と支点板７５とばね７８、そして両可動爪７０の孔７１を通るとともに爪取付台７３の孔７４に挿通される軸７７によってブロック化されたもので、回転体４の外周面に設けた凹所４４内に上記ブロックを配置することで回転体４に取り付けられている。なお、軸７７は回転体４の端面から差し込んでシール固定されるものとなっている。
【００１７】
このように取り付けられた対の可動爪７０，７０は、図８に示すように、回転体４の固定爪４５における凹所４４側の面に設けた支点突起と上記支点板７５とで挟まれた部分を支点として揺動自在に保持されるものであり、また間に位置する圧縮コイル型のばね７８によって、可動爪７０が固定爪４５から離れる方向に付勢される。なお、上記支点板７５は爪取付台７３と一体であってもよい。
【００１８】
そして、回転体４には軸方向に貫通する複数の孔４２が同心円上に等間隔で設けられていて、脱毛爪７の開閉部材としてのスライドレバー８１，８２がこの孔４２にスライド自在に取り付けられている。ここで、スライドレバー８１は回転体４の一端側に配されて対をなしている２つの可動爪７０，７０のうちの一方に一端を当接させ、スライドレバー８２は回転体４の他端側に配されて他方の可動爪７０に一端を当接させるものであり、両スライドレバー８１，８２の各他端は、回転体４の両端面から夫々突出している。
【００１９】
一方、フレーム２における回転体４用の軸４９を受けている部分には、ローラ型のカム６が軸６０によって回転自在に取り付けられている。このカム６は、回転体４が回転する時、回転体４の周方向に並んでいる複数本のスライドレバー８１及びスライドレバー８２の上記他端を順次押して回転体４の軸方向に動かすことで、可動爪７０をばね７８に抗して揺動させて、可動爪７０と固定爪４５とからなる脱毛爪７を閉じさせるのであるが、回転体４の一端側に配した複数本のスライドレバー８１は、外周側にカム６との当接部８３を持ったものと、内周側にカム６との当接部８４を持ったものとが回転体４の周方向において交互に取り付けられており、回転体４の他端側に配した複数本のスライドレバー８２は、外周側にカム６との当接部８６を持ったものと、内周側にカム６との当接部８５を持ったものとが回転体４の周方向において交互に取り付けられている。そして、スライドレバー８１の当接部８３と当接部８４とは図９から明らかなように、半ピッチずれた状態で径方向において重なったものとなっており、他端側のスライドレバー８２の当接部８５，８６も同じく半ピッチずれた状態で径方向において重なったものとなっている。
【００２０】
このために、回転体４が回転することでカム６，６と接するスライドレバー８１，８２が回転体４の周方向において順次入れ替わって脱毛爪７を順次開閉していくにあたり、回転体４の周方向において隣合うスライドレバー８１及びスライドレバー８２がカム６に同時に接触する状態が、つまりは周方向において隣合う２つの脱毛爪７，７が共に閉じている状態が生じるようになっているものであり、この結果、回転体４の周方向において多くの脱毛爪７を配しているにもかかわらず、各脱毛爪７についてはその可動爪７０と固定爪４５とが接触する閉じた状態が長い期間保たれるものであり、従って脱毛爪７が閉じることで挟み込んだ長い毛を時間的にも距離的にも長く引っ張ることができ、このために長い毛も確実に引き抜くことができるものである。
【００２１】
また、図９から明らかなように、隣合うスライドレバー８１（スライドレバー８２）は周方向における長さの約半分の長さが重なっており、一つおきのスライドレバー８１（スライドレバー８２）にカム６が接する時、その間にあるスライドレバー８１（スライドレバー８２）によって負荷変動を小さくすることができるようにしてある。
【００２２】
なお、スライドレバー８１，８２のカム６側を径方向にずらしているのに対して、各スライドレバー８１，８２における可動爪７０との当接部は、同じ円周上に位置して、支点を中心に揺動する可動爪７０に対して同じ梃子比が作用するようにしてある。
【００２３】
ところで、回転体４に対する複数の脱毛爪７の配置は前述のように周方向と軸方向の両方向においてずれた状態となるようにしているが、回転体４の端面から可動爪７０までの距離は、総計１０対の脱毛爪７に対して、５つの組み合わせ（Ｌａ，ＬｊとＬｂ，ＬｉとＬｃ，ＬｈとＬｄ，ＬｇとＬｅ、Ｌｆ）となるようにしている。従って、スライドレバー８１，８２に共通のものを用いて部品数の削減を図ることができるようになっている。可動爪７０の前後（回転体４の周方向両端）を固定爪４５から遠ざかる方向に屈曲させた屈曲部７２としているのは、可動爪７０と固定爪４５との間の空間への毛の導入効率を高くするだめである。
【００２４】
図１１に示すように、スライドレバー８１、８２として、カム６との当接部を回転体４の周方向に対して斜めに交差するものとすることによっても、脱毛爪７が閉じている期間を長くすることができる。
【００２５】
図１２に別の例を示す。これは外周側にカム６との当接部８３（当接部８６）を持ったスライドレバー８１（スライドレバー８２）を薄肉のヒンジ片８８を介して一体に連結形成したものとするとともに、内周側にカム６との当接部８４（当接部８５）を持ったスライドレバー８１（スライドレバー８２）を薄肉のヒンジ片８９を介して一体に連結形成したもので、組立性の向上を図ったものを示している。図示例のように、回転体４の端面に設けた段付きボス４９に連結してシール止めすれば、スライドレバー８１，８２の抜け止めがなされることから、この点においても組立性を高めることができる。ボス４９を段付きとしているのは、ヒンジ８８，８９の高さを規制するためである。なお、各ヒンジ片８９は、回転体４の軸方向に弾性を有しているために、各スライドレバー８１，８２の独立した動きを妨げてしまうことはない。
【００２６】
【発明の効果】
以上のように本発明においては、回転駆動される円筒状の回転体の外周面に配した複数の脱毛爪を回転体の回転に伴って駆動される開閉部材によって開閉させて脱毛を行う脱毛装置において、各脱毛爪を個別に開閉させる複数の開閉部材における隣接する開閉部材を径方向に重ねて配置しているために、各開閉部材の周方向の長さを長くして脱毛爪が閉じている期間を長くすることができるものであり、回転体の外径を大きくすることなく毛の引き抜き距離を長くすることができるために、毛切れや抜き残しが少なくて脱毛効率が良いものとすることができる。
【００２７】
この場合、開閉部材は回転体の軸方向に延びるとともに一端を脱毛爪との当接部、他端を回転体の脇に配したカムとの当接部としているスライドレバーとして形成されたものとすることで、開閉部材の構成を簡単にできるとともに組立性もよくすることができる。
【００２８】
さらに複数本のスライドレバーは回転体の周方向に沿って配置しているとともに径方向にずれて配置しているものとすることで、毛の引き抜き距離をより確実に長くすることができる。
【００２９】
そして、隣り合うスライドレバーは周方向の長さの約半分の長さが径方向において重なるものとすることで、開閉部材の駆動負荷の変動が少ないものを得ることができる。
【００３０】
また、隣り合うスライドレバーが周方向に対して交差して配置されているものとすると、各スライドレバーのカム側の当接部を同一形状とすることができて、スライドレバーの構成が簡単になる。
【００３１】
複数本のスライドレバー同士を一体に形成しておけば、組立性が向上するものであり、隣合うスライドレバー同士を回転体の軸方向に弾性を持たせた薄肉のヒンジ片で一体に連結することでスライドレバーの動作をスムーズにすることができるとともに負荷変動を小さくすることができ、該ヒンジ片を回転体に取り付けておけば、回転体からのスライドレバーの抜け止めを行えるために組み立て性が向上する。
【００３２】
さらに、複数本のスライドレバーの脱毛爪側の当接部は同一円周上に位置し、カム側の当接部は径方向において交互にずらせておくと、多数本のスライドレバーを備えたものにおいても、脱毛爪による毛の挟持力を等しくすることができる。
【００３３】
複数の脱毛爪は回転体の周方向と軸方向の両方向にずらして配設しておくと、毛の脱毛効率を高めることができ、さらに、揺動自在に支持された可動爪を備えたものでは該可動爪は毛の挟持部と開閉部材による被駆動部との間に揺動支点を有しているものとすることで、脱毛爪の開閉の駆動負荷を小さくすることができる。
【図面の簡単な説明】
【図１】本発明の実施の形態の一例の要部の斜視図である。
【図２】同上の横断面図である。
【図３】同上の平面図である。
【図４】同上の縦断面図である。
【図５】同上の縦断面図である。
【図６】同上の分解斜視図である。
【図７】同上の回転体と脱毛爪と開閉部材の分解斜視図である。
【図８】同上の要部の横断面図である。
【図９】同上の端面図である。
【図１０】同上の脱毛爪の配置を示す展開図である。
【図１１】他例の要部の端面図である。
【図１２】さらに他例の分解斜視図である。
【図１３】同上の端面図である。
【符号の説明】
４  回転体
７  脱毛爪
８１  スライドレバー
８２  スライドレバー
【図１】
0003815128.tif 000002
【図２】
0003815128.tif 000003
【図３】
0003815128.tif 000004
【図４】
0003815128.tif 000005
【図５】
0003815128.tif 000006
【図６】
0003815128.tif 000007
【図７】
0003815128.tif 000008
【図８】
0003815128.tif 000009
【図９】
0003815128.tif 000010
【図１０】
0003815128.tif 000011
【図１１】
0003815128.tif 000012
【図１２】
0003815128.tif 000013
【図１３】
0003815128.tif 000014